(57)【特許請求の範囲】
【請求項１】
前後一対の正面板と左右一対の側面板とを含む中空の六面体形状を備え、印刷物又はシート物を被覆した物品を内部に収容する包装箱であって、
前記前後一対の正面板と前記左右一対の側面板とによる筒状本体の少なくとも一方の端部の開口部は、前記物品を収容した後に、前記一対の正面板の何れか一方の正面板の端縁部に連設する蓋フラップ片の差し込みフラップ片を、他方の正面板の端部内側面に沿って差し込むことで閉塞されるようになっており、
前記他方の正面板の端部内側に配置されて、前記差し込みフラップ片を前記他方の正面板の端部内側面に沿って差し込む際に、前記物品の前記印刷物又はシート物を被覆した部分の外周面と、前記他方の正面板の端部内側面との間に差込み間隔が形成されるようにするスペーサ片が設けられており、
該スペーサ片は、前記他方の正面板の端縁部に折返し線を介して連設している折返し片が、前記折返し線で折り返されていることによって設けられており、
前記差し込みフラップ片の先端縁部が、両端部の間の部分に括れ部を備える凹形状に形成されており、前記スペーサ片は、前記括れ部の先端の間口幅よりも狭い幅で設けられている包装箱。
【請求項２】
前後一対の正面板と左右一対の側面板とを含む中空の六面体形状を備え、印刷物又はシート物を被覆した物品を内部に収容する包装箱であって、
前記前後一対の正面板と前記左右一対の側面板とによる筒状本体の少なくとも一方の端部の開口部は、前記物品を収容した後に、前記一対の正面板の何れか一方の正面板の端縁部に連設する蓋フラップ片の差し込みフラップ片を、他方の正面板の端部内側面に沿って差し込むことで閉塞されるようになっており、
前記差し込みフラップ片の先端に連設配置されて、前記差し込みフラップ片を前記他方の正面板の端部内側面に沿って差し込む際に、前記物品の前記印刷物又はシート物を被覆した部分の外周面と、前記他方の正面板の端部内側面との間に差込み間隔が形成されるようにするスペーサ片が設けられており、
該スペーサ片は、前記差し込みフラップ片の先端縁部にフラップ折返し線を介して連設しているフラップ折返し片が、前記フラップ折返し線で内側に折り返されていることによって設けられており、
前記フラップ折返し線は、前記蓋フラップ片と前記差し込みフラップ片との間の折曲げ線に対して斜めに延設して設けられている包装箱。
【請求項３】
前記印刷物又はシート物は、ホットスタンプ、熱転写、貼付ラベル又はシュリンクフィルムである請求項１又は２記載の包装箱。
【発明の詳細な説明】
【技術分野】
【０００１】
本発明は、包装箱に関し、特にシュリンクフィルムが装着された物品を収容する包装箱に関する。
【背景技術】
【０００２】
例えば、化粧品類、薬品類、菓子類、文房具類や、その他の物品を収容する包装箱として、所定の形状に裁断された紙製やプラスチック製の薄板状のシート材料であるブランクを、折曲げ線に沿って折り曲げることで立体形状に組み立てたものが多用されている。ブランクを用いた包装箱は、一般に、前後一対の正面板や左右一対の側面板を含む矩形断面の筒状本体の内部に物品を収容すると共に、先端部に差し込みフラップ片を連設した蓋フラップ片によって筒状本体の両端の開口部を覆うことで、当該開口部を閉塞して六面体形状に形成される。
【０００３】
また、包装箱は、収容された物品の外周面と、箱の内周面との間に隙間があると、例えば搬送中に箱の内部で物品ががたついて損傷するおそれがあるため、これらの間に隙間がなるべく生じないように、箱の内部に物品がピッタリと納まる大きさで、包装箱を形成することが要求されている。
【０００４】
一方、箱の内部に物品がピッタリと納まる大きさで包装箱を形成すると、例えば機械的手段によって物品を包装箱に梱包する工程において、矩形断面の筒状本体の内部に物品を収容した後に、例えば一対の正面板のうちの何れか一方の正面板の端縁部に連設する蓋フラップ片の差し込みフラップ片を、他方の正面板の端部内側面に沿って差し込むことで筒状本体の端部の開口部を閉塞する際に、他方の正面板の端部内側面と物品の外周面との間に差し込み用の隙間が形成され難くなる。このため、差し込みフラップ片の先端が、収容された物品の、他方の正面板の端部内側面と接触している部分に当たりやすくなって、差し込みフラップ片の先端が折れ曲がったり、包装箱の端部の開口部を正しく閉塞できなくなる場合がある。
【０００５】
このようなことから、物品がピッタリと納まる大きさで形成された包装箱の端部の開口部を、先端部に差し込みフラップ片が連設する蓋フラップ片によって、スムーズに閉塞できるように工夫した包装箱が開発されている（例えば、特許文献１参照）。特許文献１の包装箱では、蓋フラップ片の差し込みフラップ片の自由端となっている先端縁部に、円弧形状の凹状の切れ込みが設けられている。これによって、例えば矩形断面の筒状本体に円筒形状の物品が収容されている場合に、当該円筒形状の物品が接触している正面板の内側面の中央部分を挟んだ両側の隙間部分に、差し込みフラップ片の先端縁部の凹状の切れ込みを挟んだ両側の突出部分の自由端を、筒状本体の端部内側面に沿わせながら先行して差し込ませることで、物品を正面板の端部内側面から浮かせるようにしつつ、これらの間に差し込みフラップ片をスムーズに差し込んで行けるようにしたものである。
【先行技術文献】
【特許文献】
【０００６】
【特許文献１】特開２００５−４７６２０号公報
【発明の概要】
【発明が解決しようとする課題】
【０００７】
しかしながら、特許文献１の包装箱では、差し込みフラップ片の先端が折れ曲がったり、包装箱の端部の開口部を正しく閉塞できなくなるのを回避することは可能であるが、収容される物品が、シュリンクフィル等の印刷物又はシート物が装着されている物品であって、シュリンクフィルム等が、筒状本体の端部の開口部に近接して配置される部分まで物品に装着されている場合には、差し込まれた差し込みフラップ片がシュリンクフィルム等の装着縁部に引っ掛かって、図１０に示すように当該装着縁部２１ａが僅かにめくれ上がったり傷ついたりする状態となる、いわゆる当りシワや当りキズ２１ｂが発生するのを確実に回避することは困難である。
【０００８】
このような当りシワや当りキズ２１ｂが発生する確率は、物品を包装箱に収容した製品の０．１〜１％程度と少ないものの、顧客の信用を損う要因となる可能性が考えられることから、製品の全品検査が必要になって多大な労力を要することになると共に、特に包装箱が内部を直接に目視することのできない例えば紙製のものや、プラスチック製でも着色や印刷などで内部が見えにくいものであると、全品検査を行うことは困難になる。
【０００９】
本発明は、シュリンクフィルム等の印刷物又はシート物が装着された物品を収容した筒状本体の端部の開口部を閉塞する際に、他方の正面板の端部内側面に沿って差し込まれた差し込みフラップ片が印刷物又はシート物の装着縁部に引っ掛からないようにして、印刷物又はシート物に当りシワや当りキズが発生するのを回避することのできる包装箱を提供することを目的とする。
【課題を解決するための手段】
【００１０】
本発明は、前後一対の正面板と左右一対の側面板とを含む中空の六面体形状を備え、ホットスタンプ、熱転写、貼付ラベル、シュリンクフィルム等の印刷物又はシート物が装着された物品を内部に収容する包装箱であって、前記前後一対の正面板と前記左右一対の側面板とによる筒状本体の少なくとも一方の端部の開口部は、前記物品を収容した後に、前記一対の正面板の何れか一方の正面板の端縁部に連設する蓋フラップ片の差し込みフラップ片を、他方の正面板の端部内側面に沿って差し込むことで閉塞されるようになっており、前記他方の正面板の端部内側に配置されて、又は前記差し込みフラップ片の先端に連設配置されて、前記差し込みフラップ片を前記他方の正面板の端部内側面に沿って差し込む際に、前記物品のシュリンクフィルム等の前記印刷物又はシート物が装着された部分の外周面と、前記他方の正面板の端部内側面との間に差込み間隔が形成されるようにするスペーサ片が設けられている包装箱を提供することにより、上記目的を達成したものである。
【発明の効果】
【００１１】
本発明の包装箱によれば、シュリンクフィルム等の印刷物又はシート物が装着された物品を収容した筒状本体の端部の開口部を閉塞する際に、他方の正面板の端部内側面に沿って差し込まれた差し込みフラップ片が印刷物又はシート物の装着縁部に引っ掛からないようにして、印刷物又はシート物に当りシワや当りキズが発生するのを回避することができる。
【図面の簡単な説明】
【００１２】
【図１】本発明の好ましい第１実施形態に係る包装箱に、シュリンクフィルムが装着された物品を収容した製品を説明する斜視図である。
【図２】本発明の好ましい第１実施形態に係る包装箱の要部を説明する、差し込みフラップ片を差し込んで行く状態の斜視図である。
【図３】本発明の好ましい第１実施形態に係る包装箱の要部を説明する、（ａ）は物品を収容する前の状態の底面図、（ｂ）は物品を収容した後の状態の底面図である。
【図４】本発明の好ましい第１実施形態に係る封緘箱を形成するためのブランクの展開図である。
【図５】本発明の好ましい第２実施形態に係る包装箱の要部を説明する、（ａ）は物品を収容した後の状態の底面図、（ｂ）は差し込みフラップ片を差し込んで行く状態の斜視図である。
【図６】本発明の好ましい第２実施形態に係る包装箱を形成するためのブランクの展開図である。
【図７】スペーサ片の他の形態を例示する正面図である。
【図８】（ａ）、（ｂ）は、スペーサ片の他の形態を例示する底面図である。
【図９】参考例の差し込みフラップ片を説明する正面図である。
【図１０】シュリンクフィルムの装着縁部に発生した当りシワや当りキズを説明する正面図である。
【図１１】図１の変形態様を例示する斜視図である。
【発明を実施するための形態】
【００１３】
本発明の好ましい第１実施形態に係る包装箱１０は、図１に示すように、印刷物又はシート物として好ましくはシュリンクフィルムが装着された物品２０である、例えば液体化粧料が充填された小型のボトル形状の容器を収容して製品化される。本第１実施形態では、好ましくは機械的手段によって物品２０を包装箱１０に収容して梱包する。また本第１実施形態では、前後一対の正面板１１ａ，１１ｂと、左右一対の側面板１１ｃ，１１ｄとからなる包装箱１０の筒状本体１１の上端部の開口部を天面部蓋フラップ片１２ａ等によって閉塞した後に、筒状本体１１の内部に物品２０を、これのキャップ２０ａが取り付けられた頭部側から下端部の開口部１４を介して挿入収容し、さらに筒状本体１１の下端部の開口部１４を底面部蓋フラップ片１２ｂ等によって閉塞することで製品化される。
【００１４】
本第１実施形態の包装箱１０は、筒状本体１１の下端部の開口部１４を底面部蓋フラップ片１２ｂ等によって閉塞する際に（図２参照）、筒状本体１１の内部に収容された物品２０の胴部２０ｂの外周面を覆って底面部２０ｃに近接する位置まで装着されたシュリンクフィルム２１に、底面部蓋フラップ片１２ｂの底面部差し込みフラップ１３ｂを差し込む際に当該底面部差し込みフラップ１３ｂが引っ掛かることで、当該シュリンクフィルム２１の装着縁部２１ａが僅かにめくれ上がった状態となる当りシワや当りキズ２１ｂ（図１０参照）が発生するのを、効果的に回避できるようにする機能を備える。
【００１５】
そして、第１実施形態に係る包装箱１０は、前後一対の正面板１１ａ，１１ｂと、左右一対の側面板１１ｃ，１１ｄとを含む中空の六面体形状を備え、内部にシュリンクフィルム２１が装着された物品２０を収容する包装用の箱であって、図１〜図３に示すように、前後一対の正面板１１ａ，１１ｂと左右一対の側面板１１ｃ，１１ｄとによる筒状本体１１の少なくとも一方の端部の開口部である下端部の開口部１４は、物品２０を収容した後に、一対の正面板１１ａ，１１ｂのうちの何れか一方の正面板１１ａの下端縁部に連設する底面部蓋フラップ片１２ｂの底面部差し込みフラップ片１３ｂを、他方の正面板１１ｂの下端部内側面に沿って差し込むことで閉塞されるようになっている。他方の正面板１１ｂの下端部内側に配置されて、底面部差し込みフラップ片１３ｂを他方の正面板１１ｂの下端部内側面に沿って差し込む際に、物品２０のシュリンクフィルム２１が装着された部分の外周面と、他方の正面板１１ｂの下端部内側面との間に差込み間隔ｓ（図２、図３（ｂ）参照）が形成されるようにするスペーサ片１５（図３（ａ）参照）が設けられている。
【００１６】
また、本第１実施形態では、底面部差し込みフラップ片１３ｂの先端縁部１６が、両端部１６ａの間の部分に、略Ｖ字形状に括れた括れ部１６ｂを備える凹形状に形成されており、他方の正面板１１ｂの下端部内側に配置されたスペーサ片１５は、括れ部１６ｂの先端の間口幅ｂ（図４参照）よりも狭い幅で設けられている。
【００１７】
さらに、本第１実施形態では、他方の正面板１１ｂの下端部内側に配置されたスペーサ片１５は、他方の正面板１１ｂの下端縁部に折返し線１７ａを介して連設する折返し片１７を、折返し線１７ａで折り返すことによって設けられている。
【００１８】
本第１実施形態の包装箱１０は、図４に示すような、例えば一枚の紙製のブランク１８を用いて形成される。ブランク１８は、六面体形状の包装箱１０を展開した所定の形状となるように、例えば薄板状の紙製のシート材料を打ち抜いて裁断することで容易に得ることができる。ブランク１８は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備える。
【００１９】
また、ブランク１８は、例えば半切れ線や罫線からなる縦方向折曲げ線１９ａや横方向折曲げ線１９ｂ、或いは全切れ線からなる切込み２２等が適宜の位置に設けられていることで、包装箱１０を六面体形状となるように容易に組み立てることができる。
【００２０】
本第１実施形態では、ブランク１８において、図４の展開図の左側には、例えば縦幅が１００ｍｍ程度、横幅が３５ｍｍ程度の大きさの、縦長の長方形の一方の正面板１１ａが配置されている。一方の正面板１１ａの右側には、縦方向折曲げ線１９ａを介して、例えば縦幅が１００ｍｍ程度、横幅が２８ｍｍ程度の大きさの、縦長の長方形の一方の側面板１１ｃが連設している。一方の側面板１１ｃの右側には、縦方向折曲げ線１９ａを介して縦長の長方形の他方の正面板１１ｂが連設している。他方の正面板１１ｂのさらに右側には、縦方向折曲げ線１９ａを介して縦長の長方形の他方の側面板１１ｄが連設している。一方の正面板１１ａの左側には、縦方向折曲げ線１９ａを介して縦長帯状の接合板２３が連設している。
【００２１】
一方の正面板１１ａの下方には、横方向折曲げ線１９ｂを介して底面部蓋フラップ片１２ｂが連設している。底面部蓋フラップ片１２ｂの下方には、さらに、横方向折曲げ線１９ｂを介して底面部差し込みフラップ１３ｂが連設している。底面部差し込みフラップ片１３ｂの先端縁部１６は、両端部１６ａの間の部分に、略Ｖ字形状に括れた括れ部１６ｂを備える凹形状に形成されている。また、本第１実施形態では、底面部蓋フラップ片１２ｂと底面部差し込みフラップ１３ｂとの間の横方向折曲げ線１９ｂの両端部分には、底面部内フラップ片２４ｂの基端部との間で公知のロック機構を構成するロック用切込み２２が設けられている。
【００２２】
他方の正面板１１ｂの上方には、横方向折曲げ線１９ｂを介して天面部蓋フラップ片１２ａが連設している。天面部蓋フラップ片１２ａの上方には、さらに、横方向折曲げ線１９ｂを介して天面部差し込みフラップ１３ａが連設している。また、本第１実施形態では、天面部蓋フラップ片１２ａと天面部差し込みフラップ１３ａとの間の横方向折曲げ線１９ｂの両端部分には、天面部内フラップ片２４ａの基端部との間で公知のロック機構を構成する、ロック用切込み２２が設けられている。
【００２３】
他方の正面板１１ｂの下方には、折返し線１７ａを介して、矩形形状を備える折返し片１７が連設している。
【００２４】
一対の側面板１１ｃ，１１ｄの上方には、各々、横方向折曲げ線１９ｂを介して天面部内フラップ片２４ａが連設している。天面部内フラップ片２４ａの基端部には、上述のロック用切込み２２との間で公知のロック機構を構成するロック用突片２６が設けられている。一対の側面板１１ｃ，１１ｄの下方には、各々、横方向折曲げ線１９ｂを介して底面部内フラップ片２４ｂが連設している。底面部内フラップ片２４ｂの基端部には、上述のロック用切込み２２との間で公知のロック機構を構成する、ロック用突片２６が設けられている。
【００２５】
本第１実施形態では、包装箱１０は、上述のブランク１８を用いて、好ましくは公知の封緘装置（製箱機）を使用した簡単な工程によって、物品２０を収容した立体形状に容易に組み立てることができる。すなわち、例えばブランク１８を構成する一方の正面板１１ａの左側に連設する接合板２３に接着剤を塗着した後に、この接着剤を介して接合板２３を、他方の側面板１１ｄの側縁部に沿った内側面に接合することで、各縦方向折曲げ線１９ａに沿って折り曲げられた前後一対の正面板１１ａ，１１ｂと左右一対の側面板１１ｃ，１１ｄとからなる、矩形中空の断面形状を有する筒状本体１１が形成される。
【００２６】
矩形中空の断面形状を有する筒状本体１１を形成したら、筒状本体１１の上端部の開口を、一対の天面部内フラップ片２４ａと天面部蓋フラップ片１２ａとを用いて閉塞する。すなわち、一対の側面板１１ｃ，１１ｄの上方に各々連設する両側の天面部内フラップ片２４ａを、横方向折曲げ線１９ｂを介して内側に折り曲げると共に、天面部内フラップ片２４ａの上に折り重ねるようにして、天面部蓋フラップ片１２ａを、横方向折曲げ線１９ｂを介して内側に折り曲げる。また天面部蓋フラップ片１２ａの先端に横方向折曲げ線１９ｂを介して連設する天面部差し込みフラップ片１３ａを、一方の正面板１１ａの上端部内側面に沿って差し込むと共に、ロック用切込み２２を天面部内フラップ片２４ａのロック用突片２６にロックする。これによって、筒状本体１１の上端部の開口を、一対の天面部内フラップ片２４ａ及び天面部蓋フラップ片１２ａで覆って閉塞することができる。
【００２７】
筒状本体１１の上端部の開口を閉塞したら、筒状本体１１の内部に物品２０を収容する。すなわち、物品２０を、これのキャップ２０ａが取り付けられた頭部側から下端部の開口部１４を介して筒状本体１１の内部に挿入配置する。
【００２８】
ここで、本第１実施形態では、物品２０は、例えば液体化粧料が充填された小型のボトル形状の容器であって、図１及び図３（ｂ）に示すように、その胴部２０ｂが、長軸３５ｍｍ程度、短軸２８ｍｍ程度の大きさ略楕円断面形状を備えると共に、底面部２０ｃからキャップ２０ａによる頭部の上端面までの高さが、１００ｍｍ程度となっている。これによって、物品２０は、包装箱１０の内部にピッタリと納まる大きさ及び形状を有することになる。また、本第１実施形態では、物品２０の胴部２０ｂの外周面の略全域を覆って、装飾や説明書等を施すためのシュリンクフィルム２１が、公知の方法によって、底面部２０ｃに近接する位置まで一体として装着されている。
【００２９】
なお、上述のように、上端部の開口を閉塞した筒状本体１１に、下端部の開口部１４を介して頭部側から物品２０を挿入する理由は、これとは逆に、筒状本体１１の下端部を閉塞して、上端部の開口を介して底部側から物品２０を挿入すると、物品２０が筒状本体１１内を下端部側に挿入（落下）されてゆく際に、下端部の開口部１４を閉塞した差し込みフラップ片１３ｂ，１３ｂ’（図１、図１１参照）に、物品２０の底面部２０ｃに近接する部分のシュリンクフィルム２１が当たることになって、当りシワや当りキズ２１ｂ（図１０参照）が発生する確率が高くなる為である。
【００３０】
筒状本体１１の内部に物品２０を収容したら、図２に示すように、筒状本体１１の下端部の開口１４を、一対の底面部内フラップ片２４ｂと底面部蓋フラップ片１２ｂとを用いて閉塞する。すなわち、一対の側面板１１ｃ，１１ｄの下方に各々連設する両側の底面部内フラップ片２４ｂを、横方向折曲げ線１９ｂを介して内側に折り曲げると共に、底面部内フラップ片２４ｂの上に折り重ねるようにして、底面部蓋フラップ片１２ｂを、横方向折曲げ線１９ｂを介して内側に折り曲げる。また底面部蓋フラップ片１２ｂの先端に横方向折曲げ線１９ｂを介して連設する底面部差し込みフラップ片１３ｂを、他方の正面板１１ｂの下端部内側面に沿って差し込むと共に、ロック用切込み２２を底面部内フラップ片２４ｂのロック用突片２６にロックする。これによって、筒状本体１１の下端部の開口を、一対の底面部内フラップ片２４ｂ及び底面部蓋フラップ片１２ｂで覆って閉塞することができる。
【００３１】
上述のように物品２０を収容して６面体形状に形成された包装箱１０は、好ましくはその全体を覆って例えば改竄防止用の透明なフィルムが取り付けられて製品化される。
【００３２】
そして、上述の構成を備える本第１実施形態の包装箱１０によれば、シュリンクフィルム２１が装着された物品２０を収容した筒状本体１１の下端部の開口部１４を閉塞する際に、他方の正面板１１ｂの下端部内側面に沿って差し込まれた底面部蓋フラップ片１２ｂの底面部差し込みフラップ片１３ｂが、シュリンクフィルム２１の装着縁部２１ａに引っ掛からないようにして、シュリンクフィルム２１に当りシワや当りキズ２１ｂ（図１０参照）が発生するのを効果的に回避することが可能になる。
【００３３】
すなわち、本第１実施形態によれば、図３（ａ）、（ｂ）に示すように、他方の正面板１１ｂの下端部内側に配置されてスペーサ片１５が設けられているので、底面部差し込みフラップ片１３ｂを他方の正面板１１ｂの下端部内側面に沿って差し込む際に、物品２０のシュリンクフィルム２１が装着された底部の外周面と、他方の正面板１１ｂの下端部内側面との間には、底面部差し込みフラップ片１３ｂを差し込むのに十分な大きさの差込み間隔が形成されることになる。この差込み間隔を介して底面部差し込みフラップ片１３ｂを差し込むことにより（図２参照）、底面部差し込みフラップ片１３ｂが物品２０に装着されたシュリンクフィルム２１と干渉しないようにして、シュリンクフィルム２１の装着縁部２１ａに当りシワや当りキズが発生するのを効果的に回避することが可能になる。
【００３４】
また、本第１実施形態によれば、底面部差し込みフラップ片１３ｂの先端縁部１６が、両端部１６ａの間の部分に括れ部１６ｂを備える凹形状に形成されており、他方の正面板１１ｂの下端部内側に配置されたスペーサ片１５は、括れ部１６ｂの先端の間口幅ｂ（図４参照）よりも狭い幅で設けられている。これによって、略楕円断面形状の物品２０が接触している他方の正面板１１ｂの下端部内側面の中央部分を挟んだ両側の隙間部分２７（図３（ｂ）参照）に、底面部差し込みフラップ片１３ｂの先端縁部１６の括れ部１６ｂを挟んだ両側の、突出部分となっている両端部１６ａの自由端を、他方の正面板１１ｂの端部内側面に沿わせながら先行して差し込ませることで、物品２０を他方の正面板１１ｂの端部内側面から徐々に浮かせるようにしつつ、これらの間に底面部差し込みフラップ片１３ｂをスムーズに差し込んで行くことが可能になる。
【００３５】
さらに、本第１実施形態によれば、他方の正面板１１ｂの下端部内側に配置されたスペーサ片１５は、他方の正面板１１ｂの下端縁部に折返し線１７ａを介して連設する折返し片１７を、折返し線１７ａで折り返すことによって設けられている。折返し片１７によるスペーサ片１５には、薄板状のシート材料であるブランク１８の保形性によって、折返し線１７ａを中心として他方の正面板１１ｂの下端部内側面から離れようとする付勢力が生じることになる。この折返し片１７による付勢力によって、物品２０のシュリンクフィルム２１が装着された底部の外周面を浮かせることで、当該外周面と、他方の正面板１１ｂの下端部内側面との間に、底面部差し込みフラップ片１３ｂを差し込むのに十分な大きさの差込み間隔を、より安定した状態で形成させることが可能になる。
【００３６】
なお、蓋フラップ片の部差し込みフラップ片を他方の正面板の端部内側面に沿って差し込む際に、当該差し込みフラップ片が引っ掛かることで、シュリンクフィルムの装着縁部に当りシワや当りキズが発生するのを回避できるようにする手段の参考例として、図９に示すものを例示することができる。図９に示す参考例では、差し込みフラップ片１３’の両端部１６ａ’の間の中間部分に、差し込みフラップ片１３’と蓋フラップ片１２ｂ’との間の横方向折曲げ線１９ｂ’に致る、相当の幅を備える切込み２８が形成されている。図９の参考例によれば、他方の正面板の端部内側面にスペーサ片を設けなくても、差し込みフラップ片１３’を他方の正面板の端部内側面に沿って差し込む際の、物品に装着されたシュリンクフィルムとの干渉を回避することが可能になる。一方、差し込みフラップ片１３’の保形剛性が低下することになるので、筒状本体１１の端部の開口部を、差し込みフラップ１３’を差し込むことにより蓋フラップ片１２ｂ’で覆って閉塞しても、差し込みフラップ１３’や蓋フラップ片１２ｂ’が、例えば収容した物品の重量によって変形しやすくなる。
【００３７】
図５（ａ），（ｂ）は、本発明の好ましい第２実施形態に係る包装箱５０の要部を示すものである。本第２実施形態の包装箱５０は、以下の部分を除いて、上記第１実施形態の包装箱１０と略同様の構成を備えている。すなわち、上記第１実施形態の包装箱１０では、底面部差し込みフラップ片１３ｂの先端縁部１６が、両端部１６ａの間の部分に、略Ｖ字形状に括れた括れ部１６ｂを備える凹形状に形成されおり、スペーサ片１５は、他方の正面板１１ｂの下端縁部に連設する折返し片１７を折り返すことで、他方の正面板１１ｂの下端部内側に設けられているのに対して、本第２実施形態では、これらに代えて、スペーサ片１５は、底面部差し込みフラップ片１３ｂの先端に連設配置されて設けられている。本第２実施形態の包装箱５０は、その他の構成については、上記第１実施形態の包装箱１０と同様の構成となっているので、上記第１実施形態の包装箱１０と同様の符号を付して、その詳細な説明は省略する。
【００３８】
そして、本第２実施形態に係る包装箱５０は、図６に示す一枚の紙製のブランク５１を用いて形成されるものであり、底面部差し込みフラップ片１３ｂの先端に連設配置されたスペーサ片１５は、底面部差し込みフラップ片１３ｂの先端縁部にフラップ折返し線５２ａを介して連設するフラップ折返し片５２を、フラップ折返し線５２ａで折り返すことによって設けられている。また、フラップ折返し片５２を折り返すフラップ折返し線５２ａは、底面部蓋フラップ片１２ｂと底面部差し込みフラップ片１３ｂとの間の横方向折曲げ線１９ｂに対して斜めに延設して設けられている。
【００３９】
本第２実施形態に係る包装箱５０によれば、図５（ａ），（ｂ）に示すように、フラップ折返し片５２をフラップ折返し線５２ａで内側に折り返した状態で、底面部差し込みフラップ片１３ｂを他方の正面板１１ｂの下端部内側面に沿って差し込んでゆけば、フラップ折返し片５２が折り返されたことによる、他方の正面板１１ｂの下端部内側面から離れようとするフラップ折返し片５２の付勢力によって、物品２０を他方の正面板１１ｂの端部内側面から浮かせることが可能になる。これによって、物品２０のシュリンクフィルム２１が装着された底部の外周面と、他方の正面板１１ｂの下端部内側面との間には、底面部差し込みフラップ片１３ｂを差し込むのに十分な大きさの差込み間隔が形成されると共に、この差込み間隔を介して底面部差し込みフラップ片１３ｂをスムーズに差し込んで行くことが可能になるので、上記本第１実施形態に係る包装箱１０と略同様の作用効果を奏することになる。
【００４０】
また、本第２実施形態では、フラップ折返し片５２がフラップ折返し線５２ａで折り返されることで、底面部差し込みフラップ片１３ｂを差し込む際の当該底面部差し込みフラップ片１３ｂの先端縁部が、フラップ折返し線５２ａで折り返した部分の外周面によって丸みを帯びるように面取りされることになるので、底面部差し込みフラップ片１３ｂの先端縁部とシュリンクフィルムの装着縁部との引っ掛かりを無くして、さらに効果的に当りシワや当りキズの発生を回避することが可能になる。
【００４１】
さらに、本第２実施形態では、フラップ折返し片５２を折り返すフラップ折返し線５２ａが、底面部蓋フラップ片１２ｂと底面部差し込みフラップ片１３ｂとの間の横方向折曲げ線１９ｂに対して斜めに延設して設けられているので、底面部差し込みフラップ片１３ｂを差し込む際の当該底面部差し込みフラップ片１３ｂの先端縁部もまた、斜めに延設することになる。これによって、略楕円断面形状の物品２０が接触している他方の正面板１１ｂの下端部内側面の中央部分を挟んだ両側の隙間部分２７（図５（ａ）参照）の一方に、底面部差し込みフラップ片１３ｂの先端縁部の最も突出している片側端部２９を、他方の正面板１１ｂの端部内側面に沿わせながら先行して差し込ませることで、物品２０を他方の正面板１１ｂの端部内側面から徐々に浮かせるようにしつつ、これらの間に底面部差し込みフラップ片１３ｂをさらにスムーズに差し込んで行くことが可能になる。
【００４２】
フラップ折返し片５２を折り返すフラップ折返し線５２ａは、底面部蓋フラップ片１２ｂと底面部差し込みフラップ片１３ｂとの間の横方向折曲げ線１９ｂに対して斜めに延設している必要は必ずしもなく、図７に示すように、底面部蓋フラップ片１２ｂと底面部差し込みフラップ片１３ｂとの間の横方向折曲げ線１９ｂに対して、平行又は略平行に延設していると共に、底面部差し込みフラップ片１３ｂの先端縁部もまた、底面部蓋フラップ片１２ｂと底面部差し込みフラップ片１３ｂとの間の横方向折曲げ線１９ｂに対して平行又は略平行に延設していても良い。
【００４３】
なお、本発明は上記各実施形態に限定されることなく種々の変更が可能である。例えば、包装箱を形成するためのブランクは、紙製のブランクである必要は必ずしも無く、プラスチック製のブランク等であっても良い。また、スペーサ片は、他方の正面板の下端部内側に配置されている必要は必ずしもなく、上端部内側に配置されていても良い。スペーサ片は、一方の正面板の上端部に連設する差し込みフラップ片の先端に連設配置されていても良い。
【００４４】
さらに、図８（ａ）に示すように、他方の正面板１１ｂの端縁部に折返し線１９ｂを介して連設する折返し片１７によってスペーサ片１５を形成する際に、折返し片１７に中央が谷となるように罫線３０を入れておけば、物品のシュリンクフィルムが装着された底部の外周面と、他方の正面板１１ｂの端部内側面との間に十分な大きさの差込み間隔を、さらに安定した状態で形成することが可能になる。図８（ｂ）に示すように、スペーサ片１５は、他方の正面板１１ｂの端縁部に折返し線を介して折返し片を連設させることなく、スペーサ部材３１を他方の正面板１１ｂの端部内側面に貼り付ることで設けることもできる。このようなスペーサ部材３１によるスペーサ片１５によっても、例えば先端縁部１６が両端部１６ａの間の部分に括れ部１６ｂを備える凹形状に形成された差し込みフラップ片１３と組み合わせることで、上記各実施形態と略同様の作用効果を奏することが可能になる。
【００４５】
また、図１の変形態様を例示する図１１に示すように、一方の正面板１１ａの端縁部に連設する蓋フラップ片１２ｂの差し込みフラップ片１３ｂ’が、先端縁部に凹形状の括れ部が形成されていない一般的な形状のものであっても、他方の正面板１１ａの端部内側にスペーサ片が配置されていることで、上記各実施形態と略同様の作用効果が奏される。
【００４６】
さらに、物品２０に被覆された印刷物又はシート物は、シュリンクフィルムである必要は必ずしもなく、図１１に示すように、その他の印刷やシート物であっても良い。印刷としては、比較的キズがつきやすいホットスタンプや熱転写等である場合でも、印刷部にキズ等がつくのを効果的に回避することが可能になる。シート物としては、貼付ラベル等である場合でも、これらの取付け縁部がめくれ上がったりすることで当りキズ等が発生するのを、効果的に回避することが可能になる。
【００４７】
さらにまた、本発明は、機械的手段によって物品を包装箱に梱包する場合の他、手作業によって物品を包装箱に梱包する場合にも、当りシワや当りキズが発生するのを効果的に回避することが可能になる。
【符号の説明】
【００４８】
１０，５０  包装箱
１１  筒状本体
１１ａ  一方の正面板
１１ｂ  一方の正面板
１１ｃ，１１ｄ  側面板
１２ａ  底面部蓋フラップ片
１２ｂ  底面部蓋フラップ片
１３ａ  天面部差し込みフラップ片
１３ｂ  底面部差し込みフラップ片
１４  筒状本体の下端部の開口部
１５  スペーサ片
１６  底面部差し込みフラップ片の先端縁部
１６ａ  両端部
１６ｂ  括れ部
１７  折返し片
１７ａ  折返し線
１８，５１  ブランク
１９ａ  縦方向折曲げ線
１９ｂ  横方向折曲げ線
２０  物品
２１  シュリンクフィルム（印刷物又はシート物）
２１ａ  装着縁部
２１ｂ  当りシワや当りキズ
２４ａ  天面部内フラップ片
２４ｂ  底面部内フラップ片
５２  フラップ折返し片
５２ａ  フラップ折返し線
ｂ    括れ部の先端の間口幅
【図１】
0006009763.tif 000002
【図２】
0006009763.tif 000003
【図３】
0006009763.tif 000004
【図４】
0006009763.tif 000005
【図５】
0006009763.tif 000006
【図６】
0006009763.tif 000007
【図７】
0006009763.tif 000008
【図８】
0006009763.tif 000009
【図９】
0006009763.tif 000010
【図１０】
0006009763.tif 000011
【図１１】
0006009763.tif 000012